(57)【要約】      （修正有）【課題】古式銃の射撃様式で吹き矢を行えかつ外観も忠実に再現し観賞にも耐えうる吹き矢を提供する。【解決手段】銃床に２か所開口部を設ける。銃床後方開口部と銃床下部開口部を銃床に設ける。ダミー銃身に吹き矢筒を配置する。銃床下部開口部に筒状Ｌ字型部品軸受けを設置し、筒状Ｌ字型部品を吹き矢筒と接続する様に取り付ける。そして他に用意した吹き口等を接続する。吹き矢の要領で遊べる。【選択図】図１
0003230673.tif 000002
【実用新案登録請求の範囲】
【請求項１】
吹き矢筒５と接続、解除を行うＬ字型部品８の倒置動作を行う支店となるＬ字型部品軸受９が請求範囲となる
【考案の詳細な説明】
【技術分野】
【０００１】本考案は吹き矢玩具に取り付ける古式銃型の外装品である
【背景技術】
【０００２】これまでは古式銃型の吹き矢があまりない為考案された
【考案の開示】
【考案が解決しようとする課題】
【０００３】これまでは銃型の吹き矢はあったが古式銃型の吹き矢はあまりなかった
本案は古式銃型の射撃様式で吹き矢を行える様にする為の考案である
【課題を解決するための手段】
【０００４】本考案は古式銃に準じた外観を持つ
まず銃床又は台木に２カ所加工を行う尾栓配置部後方と銃身配置部下部である
尾栓配置部後方には円筒形の穴を開口し、銃身配置部下部には楕円形の穴を開口する。
次にダミー銃身内部に吹き矢筒を所定の位置に設置し銃床又は台木部に設置する
吹き矢筒と吹き口を接続、解除する為に中空状のＬ字型部品を銃身配置部下部の楕円形の開口部の適切な場所に設置する。
楕円形開口部にはＬ字型部品を取り付ける為の着脱式軸受部品を付ける。
Ｌ字型部品には倒置出来る為の軸が左右についておりＬ字型部品Ｌ字横棒を起こした時に吹き矢筒後端と接続し、Ｌ字の縦棒が倒置した時、銃床と平行になり解除となる。
銃床後方開口部からは吹き矢を別に用意した棒等の部品で吹き矢筒に装填する事によって問題を解決出来る。
【考案の効果】
【０００５】本案により違和感なく古式銃での射撃様式で吹き矢を実施出来る。
また外観を忠実に再現出来る為観賞用にも耐えうるものである。
【考案の実施するための最良の形態】
【０００６】本考案は古式銃型の外観を基本に構成する
まず銃床または台木に２カ所加工を施す。
１つ目は尾栓配置部後方に円筒形の穴を貫通させ開口した穴の内径に合うサイズの内部が中空状の円筒形の部品を銃床に合う形で設置する。
２つ目は銃身配置部下部に楕円形の穴を貫通させ開口した穴の内径に合うサイズの内部が中空状の楕円形の部品を銃床に合う形で設置する
長さは後述する中空状Ｌ字型部品を倒置出来る長さである
２つの部品は金色又は銀色もしくは任意の色で塗装する
次はダミー銃身
ダミー銃身は尾栓配置部から銃身先端へ向かう形で凸型の形で切れ込みを入れる
切れ込みの幅は銃身配置部下部の楕円形の幅と同じ幅である
ダミー銃身内部に吹き矢筒の設置を行う
方法はダミー銃身切れ込み先端に吹き矢筒の後端を設置し固定具を使い固定し銃床又は台木に設置する
また吹き矢筒後端に把手を取り付け尾栓配置部後方の開口部から引き出し直に装填出来る方法もある。
銃床又は台木下部開口部に２つ部品を付ける
１つはＬ字型部品を取り付け倒置動作出来る様に出来る軸受である
この軸受は倒置した時にＬ字の縦棒が銃床と平行した状態で止まる様にする
もう１つは吹き矢筒と別に用意した吹き口を接続する為の部品である
これは外見がＬ字なっており任意の部分に部品を倒置動作させる為の軸が左右に付いているそして内部が中空状になっており息を吹き込める事が出来る
Ｌ字の横棒が吹き矢筒後端と接続する事により接続し息を吹き込める事が出来る。
解除する場合は手でＬ字を前方に押しＬ字縦棒が銃床と平行にする様にする
【実施例】
【０００７】以下、添付図面に従って一実施例を説明する。
１は木製又はプラスチックで作られた銃床又は台木、２は銃床下部に加工後設置した楕円形部品、３は銃床尾栓配置部後方加工後設置した円筒形部品、４はダミー銃身この中に５吹き矢筒と６吹き矢固定具を適切な位置で配置する。
４ダミー銃身の切れ込みと２楕円形部品の開口部を合わせながら１銃床と４ダミー銃身を取り付ける。
そして２銃床下部楕円形部品に倒置動作出来る様に７中空状Ｌ字型部品と８Ｌ字型部品を取り付ける。【０００８】７Ｌ字型部品と８Ｌ字型部品軸受は２銃身配置部下部に設置した楕円形部品に取り付けられ倒置動作を行い５吹き矢筒と吹き口との接続と解除を行う部位である。
７Ｌ字型部品閉鎖時から解除を行う場合７Ｌ字型部品を８Ｌ字型部品軸受を中心に銃口方面】へ倒置し７Ｌ字型部品縦棒が１銃床又は台木と平行になるまで倒置する事によって解除する。
そして他の部品を使い３尾栓配置部後方に開口後設置した円筒形部品を通して吹き矢を５吹き矢筒に装填又は清掃を行う。
吹き矢をやめる場合この状態で８Ｌ字型部品軸受から７Ｌ字型部品を取り外すその後８Ｌ字型部品軸受けも２楕円形部品から取り外す。
吹き矢をやめる場合この状態で８Ｌ字型部品軸受けから７Ｌ字型部品を取り外す
その後８Ｌ字型部品軸受も２楕円形部品から取り外す。
次に７Ｌ字型部品と５吹き矢筒の接続を行うには７Ｌ字型部品を尾栓方向つまり手前に引く、これにより７Ｌ字型部品は引き起こされＬ字横棒が吹き矢後端と接続され吹き矢を行える様になる。
また観賞用に用いる場合には２楕円形部品と３円筒形部品の開口部には木製又は任意の材質を用いた蓋をそれぞれの開口部に使用する、この蓋は防塵用にもなり移動時にも使う事が出来る。【０００９】本考案の一実施例は上述の如き構成からなるものであるから、吹き矢の古式銃カバーとして用いる事は勿論１銃床又は台木と４ダミー銃身で構成された外観を用いて観賞用にも用いられる。
【図面の簡単な説明】
【００１０】
【図１】本考案の古式銃カバーの一実施例を示す側面断面図である
【図２】古式銃カバーの７Ｌ字型部品倒置時側面図である
【符号の説明】
【００１１】１  銃床又は台木
２  銃身配置部下部に開口後設置した楕円形部品
３  尾栓配置部後方に設置した円筒形部品
４  ダミー銃身
５  吹き矢筒
６  吹き矢筒固定具
７  中空状Ｌ字型部品
８  Ｌ字型部品軸受け
【図１】
0003230673.tif 000003
【図２】
0003230673.tif 000004
【手続補正書】
【提出日】令和2年11月17日(2020.11.17)
【手続補正１】
【補正対象書類名】実用新案登録請求の範囲
【補正対象項目名】全文
【補正方法】変更
【補正の内容】
【実用新案登録請求の範囲】
【請求項１】
まず再現したい銃の様式に合わせた台木又は銃床とダミー銃身を用意する、
次に台木又は銃床後方尾栓配置部に円筒形に開口部を加工し開口部内径に沿った円筒形部品を配置する、配置後銃床又は台木に接着剤等で接着する、次に楕円形開口部を台木または銃床の銃身配置部下部に加工する、楕円形開口部の長さと幅は中空状Ｌ字型部品（円筒状）が倒置動作できる長さに加工する、開口部に開口部内径に沿った楕円形部品を設置し接着剤等で接着する、次に中空状Ｌ字型部品を倒置する為の軸受を楕円形部品下部に設置する、Ｌ字型部品軸受に中空状Ｌ字型部品に設けられた軸（左右両方にある）を設置しＬ字型部品が倒置動作を行える様に配置する、次にダミー銃身、銃床下部楕円形部品と接する部分に銃身後方から銃口部先端に向って、凸型の切れ込みを入れる、切れ込みの長さと幅は楕円形部品開口部と同じ長さと幅である、次に凸型切れ込み先端から銃口先端迄の任意の部分に吹き矢筒を固定する為の吹き矢筒固定具を設置し吹き矢筒を設置した後ダミー銃身を台木又は銃床と組み合わせ任意の銃を再現する。